(57)【要約】      （修正有）【課題】液体の霧化性能をさらに向上させ、より小型で小さい消費電力で効率的に液体を霧化することのできる超音波霧化装置を提供する。【解決手段】容器１内の液体に超音波振動を与えて液面に液隆起部及び／又は飛沫部を形成させ液体を霧化する超音波霧化装置において、前記容器１の底部に更にくぼみ部２を設け、該くぼみ部２の底に超音波振動子３を設置し、該くぼみ部２を覆う状態でその中心に開口部を有する座金状部材４又は開口部を有する容器底板を配置するとともに、微小な貫通孔が多数形成された多孔板６とこの多孔板６を所定位置に配設するための配設手段とを備え、前記多孔板６は弾性保持部材７を介して前記配設手段に取り付けられ、この配設手段によって前記多孔板６がその下面が超音波振動の作動時に形成される液隆起部及び／又は飛沫部に接触する位置に配設されたことを特徴とする超音波霧化装置である。【選択図】図１
2015163390.tif 000002
【特許請求の範囲】
【請求項１】
容器内の液体に超音波振動を与えて液面に液隆起部及び／又は飛沫部を形成させ前記液体を霧化する超音波霧化装置において、前記容器の底部に更にくぼみ部を設け、該くぼみ部の底に超音波振動子を設置し、該くぼみ部を覆う状態でその中心に開口を有する座金状部材を配置するか、又は該くぼみ部のほぼ中心が開口した位置となるように開口部を有する容器底板で該くぼみ部を覆うとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動子の作動時に形成される液隆起部及び／又は飛沫部に接触する位置に配設されたことを特徴とする、超音波霧化装置。
【請求項２】
前記座金状部材又は容器底板の開口部の直径（ｄ）が、超音波振動子の直径（Ｄ）に対する比率（ｄ／Ｄ）で０．４〜０．５５の範囲にあることを特徴とする、請求項１に記載の超音波霧化装置。
【請求項３】
前記くぼみ部の深さ（ｈ）が、前記超音波振動子によって発生する超音波の波長（λ）の２〜１２倍の範囲にあることを特徴とする、請求項１又は２に記載の超音波霧化装置。
【請求項４】
前記多孔板が、その厚さが０．０２ｍｍ〜０．０５ｍｍであり、その貫通孔の孔径が０．００２ｍｍ〜０．１００ｍｍのものであることを特徴とする、請求項１乃至３のいずれかに記載の超音波霧化装置。
【請求項５】
前記多孔板が、液面より上部であって液面から水深に対して９０％までの範囲内の位置に配置されていることを特徴とする、請求項１乃至４のいずれかに記載の超音波霧化装置。
【請求項６】
容器内の水に超音波振動を与えて水面に液隆起部及び／又は飛沫部を形成させ前記水を霧化する超音波加湿器において、前記容器の底部に更にくぼみ部を設け、該くぼみ部の底に超音波振動子を設置し、該くぼみ部を覆う状態でその中心に開口部を有する座金状部材を配置するか、又は該くぼみ部のほぼ中心が開口した位置となるように開口部を有する容器底板で該くぼみ部を覆うとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動の作動時に形成される液隆起部及び／又は飛沫部に接触する位置に配設されたことを特徴とする超音波加湿器。
【請求項７】
容器内の芳香成分を含む水に超音波振動を与えて水面に液隆起部及び／又は飛沫部を形成させ前記水を霧化する芳香揮散器において、前記容器の底部に更にくぼみ部を設け、該くぼみ部の底に超音波振動子を設置し、該くぼみ部を覆う状態でその中心に開口部を有する座金状部材を配置するか、又は該くぼみ部のほぼ中心が開口した位置となるように開口部を有する容器底板で該くぼみ部を覆うとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動の作動時に形成される液隆起部及び／又は飛沫部に接触する位置に配設されたことを特徴とする超音波芳香揮散器。
【発明の詳細な説明】
【技術分野】
【０００１】
本発明は、超音波振動を利用して容器内の液体を霧化する超音波霧化装置に関するものであり、特に、小型で少ない消費電力によって効率的に霧化することのできる超音波霧化装置に関する。
【背景技術】
【０００２】
従来から、水などの液体を霧化して加湿器や吸入器などに使用するために超音波振動子の超音波振動を利用する超音波霧化装置が知られている。この超音波霧化装置は、容器内の液体中に超音波振動子を設置して、この超音波振動子に高周波の電圧を加えて超音波振動を発生させ、この超音波の振動エネルギーが液面に伝わり、液面の一部が隆起した液隆起部を形成させて、ここから微細な霧化粒子を発生させる装置である。
この超音波振動を利用した霧の発生原理は、液体に超音波振動を与え、液面や液内部に周波数固有のキャピラリ波（毛細表面波）やキャビテーション（空洞現象）を発生させることにより液面に無数の毛細表面波をつくり、霧状の微細な水滴を発生させるものであると考えられている。
【０００３】
上述のような従来の超音波霧化装置における霧化は、液中に放出される超音波振動の指向性に任せて行われているため超音波振動エネルギーの全てが霧化に有効に使用されるものではなく、また、液体の毛細表面波も自然発生的に生じるものであるから、液面に形成された液隆起部から発生する霧化粒子はいわば偶然の産物として得られるようなものであり、霧化効率が悪いものとなっている。さらに、液中に放出された超音波振動が水面で反射し、かかる反射波の超音波振動が超音波振動子に達することにより、超音波振動子より生じる振動波と干渉し、その結果、超音波振動子による超音波振動の発生を阻害して霧化効率が悪くなる場合がある。
【０００４】
このことは、逆に言えば、従来の超音波霧化装置にあっては、所定の霧化量を得るために、霧化に貢献しない無駄な超音波振動分を含んだ形で超音波振動を発生させるように超音波振動子を動作させなければならず、そのために大きな駆動電力が必要となるということを意味するものであり、電力が無駄に消費されているという問題がある。
【０００５】
また、従来の超音波霧化装置で発生させる霧化粒子は、超音波振動によって液面に形成された液隆起部から自然に任せて発生させるものであり、湯気のようにゆらゆらと立ち上るにすぎないものであるから、発生した霧を所望の方向に飛散させるためにはファンなどを設けて送風してこれを搬送する必要がある。また、液面には液隆起部が形成されるため、界面に液飛沫が生じやすく、液滴が飛散しやすいという問題もあった。
【０００６】
さらに、上述したように、従来の超音波霧化装置は、超音波振動子を動作させるための駆動電力が大きいことから、超音波発振回路が発熱しやすく、これを冷却するための冷却ファンが必要となる。また、水切れ時などのように霧化する液体がなくなり無負荷状態となった場合には、発熱などによって超音波発振回路が破損するおそれがあるため、破損防止回路を設けておく必要もある。このため、従来の超音波霧化装置にあっては、回路や装置が大型化してしまうという問題があった。
【０００７】
これらの従来の霧化装置の問題点について、超音波振動子に対向する側の液体中に、超音波振動子から離れる方向に向けて伝播する超音波振動を集中させる筒体を配設することにより、超音波振動エネルギーを有効利用して安定的な霧化量を実現し、低消費電力化・小型化に寄与する超音波霧化装置が提案されている（特許文献１参照）。しかしながら、この発明は、筒体を用いて超音波振動を集中させて超音波振動エネルギーを高めることによって霧化効率を向上させているが、液面に液隆起部を形成して霧化粒子を自然発生的に発生させている点においては従来の超音波霧化装置と変わりがなく、また、発生した霧を所望の方向に飛散させるためにファンなどを設ける必要がある点や、界面に液飛沫が生じ液滴が飛散しやすいという点、さらには水面からの反射波が超音波振動のスムーズな発生を阻害する点についての問題は解消されていない。
【０００８】
かかる現状において、本発明者らは多数の微小な貫通孔を有する多孔板を超音波振動によって隆起した液面の液隆起部の部分に配設することによって霧化量が大幅に増加することを見出し、少ない消費電力でより効率的に液体を霧化することができる超音波霧化装置を提案した（特許文献２参照）。
【先行技術文献】
【特許文献】
【０００９】
【特許文献１】特開２００９−２８５８２号公報
【特許文献２】特開２０１３−２２１６３３号公報
【非特許文献１】電子情報通信学会論文誌  Ａ  Vol.J80-A、No.10、pp.1614-1620、1997年10月、
【非特許文献２】日本機械学会講演論文集、No.114-1（11.3関西支部第８６期定時総会講演会）
【発明の概要】
【発明が解決しようとする課題】
【００１０】
本発明は、すでに本発明者らが提案した多孔板を配設した超音波霧化装置の液体の霧化性能をさらに向上させ、より小型で低い消費電力で効率的に液体を霧化することのできる超音波霧化装置を提供することを目的とするものである。
【課題を解決するための手段】
【００１１】
本発明者らは、すでに提案した多孔板を配設した超音波霧化装置の性能をさらに向上させるべく鋭意検討を行った結果、超音波霧化装置の超音波振動子の上部に開口部を有する座金状部材又は容器底板を配置することによって液体の霧化性能が一段と向上することを見出し、本発明を完成した。
【００１２】
即ち、本発明は、以下の内容をその要旨とする発明である。
（１）容器内の液体に超音波振動を与えて液面に液隆起部及び／又は飛沫部を形成させ前記液体を霧化する超音波霧化装置において、前記容器の底部に更にくぼみ部を設け、該くぼみ部の底に超音波振動子を設置し、該くぼみ部を覆う状態でその中心に開口部を有する座金状部材を配置するか、又は該くぼみ部のほぼ中心が開口した位置となるように開口部を有する容器底板で該くぼみ部を覆うとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動子の作動時に形成される液隆起部及び／又は飛沫部に接触する位置に配設されたことを特徴とする、超音波霧化装置。
【００１３】
（２）前記座金状部材又は容器底板の開口部の直径（ｄ）が、超音波振動子の直径（Ｄ）に対する比率（ｄ／Ｄ）で０．４〜０．５５の範囲にあることを特徴とする、前記（１）に記載の超音波霧化装置。
【００１４】
（３）前記くぼみ部の深さ（ｈ）が、前記超音波振動子によって発生する超音波の波長（λ）の２〜１２倍の範囲にあることを特徴とする、前記（１）又は（２）に記載の超音波霧化装置。
【００１５】
（４）前記多孔板が、その厚さが０．０２ｍｍ〜０．０５ｍｍであり、その貫通孔の孔径が０．００２ｍｍ〜０．１００ｍｍのものであることを特徴とする、前記（１）乃至（３）のいずれかに記載の超音波霧化装置。
【００１６】
（５）前記多孔板が、液面より上部であって液面から水深に対して９０％までの範囲内の位置に配置されていることを特徴とする、前記（１）乃至（４）のいずれかに記載の超音波霧化装置。
【００１７】
（６）容器内の水に超音波振動を与えて水面に液隆起部及び／又は飛沫部を形成させ前記水を霧化する超音波加湿器において、前記容器の底部に更にくぼみ部を設け、該くぼみ部の底に超音波振動子を設置し、該くぼみ部を覆う状態でその中心に開口部を有する座金状部材を配置するか、又は該くぼみ部のほぼ中心が開口した位置となるように開口部を有する容器底板で該くぼみ部を覆うとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動の作動時に形成される液隆起部及び／又は飛沫部に接触する位置に配設されたことを特徴とする超音波加湿器。
【００１８】
（７）容器内の芳香成分を含む水に超音波振動を与えて水面に液隆起部及び／又は飛沫部を形成させ前記水を霧化する超音波芳香揮散器において、前記容器の底部に更にくぼみ部を設け、該くぼみ部の底に超音波振動子を設置し、該くぼみ部を覆う状態でその中心に開口を有する座金状部材を配置するか、又は該くぼみ部のほぼ中心が開口した位置となるように開口部を有する容器底板で該くぼみ部を覆うとともに、微小な貫通孔が多数形成された多孔板とこの多孔板を所定位置に配設するための配設手段とを備え、前記多孔板は弾性保持部材を介して前記配設手段に取り付けられ、この配設手段によって前記多孔板がその下面が超音波振動の作動時に形成される液隆起部及び／又は飛沫部に接触する位置に配設されたことを特徴とする超音波芳香揮散器。
【発明の効果】
【００１９】
本発明の超音波霧化装置によれば、容器の底部のくぼみ部に設置した超音波振動子によって発生した超音波振動が、くぼみ部の上部を覆う座金状部材又は開口部を有する容器底板とくぼみ部の壁で形成される空間内で反射を繰り返し、その結果増強された超音波振動によるエネルギーがくぼみ部の上部の座金状部材又は開口部を有する容器底板の開口部から放出される。この増強された超音波振動によるエネルギーが液面付近に集中し、液面に大きな液隆起部更には飛沫部を形成する。この液隆起部の中心部には、容器の底部から液面に向かう液体の流れ（音響流と呼ばれる）が発生しており、この液体の流れによって形成された液隆起部及び／又は飛沫部が、液面の上方に配設された多孔板に接触し、多孔板に形成された微小な貫通孔を通過することによって細かい霧状となって大気中に勢いよく放出される。さらに、座金状部材又は開口部を有する容器底板をくぼみ部の上部を覆うように設けることより、水面からの反射波が超音波振動子に達して干渉することを防ぐことができる。
【００２０】
なお、容器の底部のくぼみ部に設置した超音波振動子によって発生した超音波振動が、くぼみ部の上部を覆う座金状部材又は開口部を有する容器底板とくぼみ部の壁で形成される空間内で反射することにより発生する反射波と、同じく超音波振動子によって発生した超音波振動が水面で反射して発生する反射波の違いは以下の通りである。すなわち、前者は座金状部材や容器底板、くぼみ部の壁などの硬い面にぶつかって反射するため、波の性質として固定端反射となり、反射波の位相が互いに振幅を増幅し、エネルギーを強め合う作用をもたらす。一方、後者は水面という柔らかい面にぶつかって反射するため、波の性質としては自由端反射となり、超音波振動子から発生した波の位相と座金上部材や壁面からの反射波の位相が振幅を減衰させ、エネルギーを弱め合う作用をもたらす。  
【００２１】
即ち、本発明の超音波霧化装置では、くぼみ部と座金状部材又は開口部を有する容器底板で囲われた空間内で超音波振動を増強させることと、このようにして超音波振動が大幅に増強された液体が微小な貫通孔が多数形成された多孔板の細分化作用によって微細な霧状の液滴となるものであって、従来の超音波霧化装置に比べて小さいエネルギーで液体に効率よく超音波振動を与えてより大きな霧化量を得ることができる。さらに、座金状部材又は開口部を有する容器底板は水面からの反射波が超音波振動子に到達することを防ぐため、超音波振動によるエネルギーを減衰することなく効率よく霧化させることができる。これらの理由により、従来の超音波霧化装置では１００Ｖの交流電源を用いる必要があったものが、本発明の超音波霧化装置では例えば乾電池等を電源として使用することが可能となり、小型でコンパクトな霧化装置とすることができる。
【００２２】
また、本発明の超音波霧化装置では、多孔板の微小な貫通孔から噴出される霧は超音波振動で生じた音響流によって貫通孔の開口方向に勢いを持った流れとして形成されるので、多孔板の上面を所望の方向に向けて多孔板下面を液体に接触させることにより、所望の方向に向けて霧状の液滴を放出し飛散させることができる。そのため発生した霧を所望の方向に運ぶためにファンなどを用いて送風することも必要としない。
【００２３】
なお、本発明において、「液隆起部」とは、図５に示すように、超音波振動によるエネルギーが液面付近に集中して形成される水面の盛り上がりを意味し、「飛沫部」とは、「液隆起部」の頂部からジェット流状に噴出する液滴を意味し、いずれも液体の霧化前の状態を表す。
【図面の簡単な説明】
【００２４】
【図１】本発明の超音波霧化装置の一例を示す説明図である。
【図２】本発明の超音波霧化装置の他の例を示す説明図である。
【図３】本発明の超音波霧化装置の更に他の例を示す説明図である。
【図４】座金状部材の断面図の一例である。
【図５】超音波振動子の作動時の液隆起部と飛沫部の状態の一例を示す写真である。
【図６】座金状部材がない場合の液隆起部の状態を示す写真である。
【図７】座金状部材の開口径が５．１ｍｍの場合の液隆起部と飛沫部の状態を示す写真である。
【図８】座金状部材の開口径が６．０ｍｍの場合の液隆起部と飛沫部の状態を示す写真である。
【図９】座金状部材の開口径が６．６ｍｍの場合の液隆起部と飛沫部の状態を示す写真である。
【発明を実施するための形態】
【００２５】
以下に、本発明について図面を用いて更に詳しく説明する。
図１は、本発明の超音波霧化装置の一例を示す説明図である。図１に示すような本発明の第１の態様では、水などの液体を収容する容器１の底部に、容器の底部よりも更に凹んだ状態のくぼみ部２が設けられており、このくぼみ部２の底に超音波振動子３が設置されている。この超音波振動子３の上部には、くぼみ部２に上から蓋をするような状態で座金状部材４が配置されており、この座金状部材４はその中心に開口部４１を有している。また、図２に示すような本発明の第２の態様では、容器１の底板１３がくぼみ部２を上から覆う状態で取り付けられており、くぼみ部２のほぼ中心の位置に開口部１４が設けられている。
【００２６】
さらに、微小な貫通孔８が多数形成された多孔板６とこの多孔板６を所定位置に配設するための配設手段５とを備え、この多孔板６は弾性保持部材７を介して前記配設手段５に取り付けられている。この多孔板６は、配設手段５によってその下面が超音波振動子３の作動時に液隆起部又は飛沫部１０に接触する位置になるように配設されている。多孔板６は厚さが０．１ｍｍ以下という非常に薄くて繊細な構造のものであるため、その補強と取扱いやすさのためにその周囲をとり囲むように多孔板保持材９に取り付けられている。
【００２７】
本発明の超音波霧化装置では、液体を収容する容器１の底部に、例えば、図１に示すように、水漏れ防止用としてリング状のゴムパッキン１１などを介して超音波振動子３を取り付ける。このゴムパッキン１１などにより容器１の底部と超音波振動子３の上面との間にくぼみ部２の空間が形成される。くぼみ部２の大きさは超音波振動子３が収容され、固定できる程度に超音波振動子３よりやや小さいものでよい。一般的に超音波振動子３は円盤状の形状であるので、くぼみ部もかかる超音波振動子の形状に合わせて容器１の底部より更に下方へ円柱状に凹んで形成すれば良く、その直径が超音波振動子３のそれよりやや小さいものでよい。
【００２８】
更に、このくぼみ部２の上部に、くぼみ部２を覆って上から蓋をする状態でその中心に開口部４１を有する座金状部材４を配置するか、又は容器１の底板１３でくぼみ部を覆うがくぼみ部のほぼ中心の位置に開口部１４が来るように容器を構成し、くぼみ部２と座金状部材４又は開口部を有する容器底板１３とで囲われた空間を形成する。超音波振動子３によって発生した超音波振動は、この囲われた空間の中でくぼみ部２の壁と座金状部材４又は開口部１４を有する容器底板１３で繰り返して反射されて、超音波エネルギーが増強される。この増強された超音波エネルギーが座金状部材４の開口部４１又は容器底板１３の開口部１４を通って容器１本体の液体の中に放出される。
【００２９】
本発明で用いる座金状部材４は、図１および図４に示すようにその中心部に開口部４１を有する板状の部材であり、形状はくぼみ部２全体を覆う形状であれば特に限定されないが、例えばくぼみ部２の形状が円柱状の場合、くぼみ部２の直径よりやや大きい外径に形成されたドーナツ状に形成すればよい。更には、本発明の霧化装置の別の目的のために必要とされる部材、例えば多孔板の配設手段５などと一体的に成形されて得られたものであっても、この中の座金に相当する部分が、くぼみ部２全体を覆う板状の形状のものであって、そのほぼ中心に開口部を有するものであれば、ここでいう座金状部材４として使用することができる。
【００３０】
本発明の超音波霧化装置では、図２に示すように、前記座金状部材４に代えて容器１の底板１３に開口部１４を設けたものを用いることができる。即ち、超音波振動子３が設置されたくぼみ部２を液体を収容する容器１の底板１３で覆うと同時に、この底板１３のくぼみ部２のほぼ中心の位置に座金状部材４と同様の開口部１４を設けて容器１を構成したものを用いることもできる。
【００３１】
この座金状部材４は、くぼみ部２を覆う状態で配置するが、必ずしも容器１に直接固定する必要はなく、隙間の空いた状態や容器１の底からやや浮き上がった状態となるように座金状部材４を支持する部材を介して間接的に容器１に固定してもよい。座金状部材４の材質は、金属製のもの特にステンレス製のものが好ましいが、セラミック製や合成樹脂製のものであっても使用することができる。
【００３２】
座金状部材４の開口部４１又は容器底板１３の開口部１４は、くぼみ部２と座金状部材４又は容器底板１３とで囲われた空間内において超音波エネルギーを増強し放出するという点と、水面からの反射波が超音波振動子３に及ぶことを防ぐという点からその大きさに好ましい範囲がある。具体的には、座金状部材又は容器底板の開口部の直径（ｄ）が、超音波振動子の直径（Ｄ）に対する比率（ｄ／Ｄ）として０．４〜０．５５の範囲にあることが好ましい。０．４より小さいと発生した超音波エネルギーが効率よく外部に放出されず、０．５５より大きいと早い段階から超音波エネルギーの放出が行われ、十分に増強された超音波エネルギーが得られず、さらに、水面からの反射波が座金状部材又は容器底板の開口部を通ってくぼみ部２内に侵入し、超音波振動を弱めるおそれもある。
【００３３】
また、前記くぼみ部２の深さも好ましい範囲がある。水漏れ防止という意味では１ｍｍ以上あることが好ましいが、超音波エネルギーを増強し放出するという点からは、くぼみ部２の深さ（ｈ）が超音波振動子によって発生する超音波の波長（λ）の２〜１２倍の範囲であることが好ましく、４〜７倍の範囲にあることが更に好ましい。例えば、１．７ＭＨｚの振動を与える超音波振動子の場合、水温２０℃の水中での超音波の波長λが０．８７ｍｍであるので、この場合のくぼみ部の深さ（ｈ）は１．７〜１０．４ｍｍとすることがより好ましく、３．５〜６．１ｍｍとすることが更に好ましい。
【００３４】
次に、前記微小な貫通孔８が多数形成された多孔板６は、厚さ０．０２ｍｍ〜０．０５ｍｍ程度の金属製薄板に上下方向（厚み方向）に貫通する微小な貫通孔を多数形成したものであればよく、平板状としても曲板状、椀状としてもよい。この多孔板に形成される微小な貫通孔は、孔径０．００２ｍｍφ〜０．１００ｍｍφ程度のものが考えられる。このような貫通孔を１ｃｍ２当たり４８０〜４５００個設けたものを用いる。
【００３５】
そして、この多孔板６は、前記配設手段５によってその下面が超音波振動子３の作動時に液隆起部及び／又は飛沫部１０に接触する位置に配設される。すなわち、この多孔板６の下面は常時液体に接している必要はなく、超音波振動子３が作動していない時には液体に接しておらず、超音波振動子３が作動し液隆起部又は飛沫部１０が形成された時に液隆起部又は飛沫部１０と接触する。このとき、多孔板６の上面が液体と接触する状態となることは望ましくなく、あくまでも、多孔板６の上面は大気と接し、霧化した液滴のみ貫通孔８より放出される位置に配設することが好ましい。さらに、この多孔板６は、液体中を伝播する超音波振動の進行方向に対して直角に配設する必要はなく、これに対して傾斜させて配設してもよい。
【００３６】
本発明の超音波霧化装置では、後述するように、容器のくぼみ部に設置された超音波振動子３から放出され増強された超音波振動が、液の中を音響流となって液面に向って伝播し、液面において図５に示すような液の円錐状の隆起部とこの液隆起部の頂部からジェット流状に放出される液の飛沫部が形成される。この液隆起部と飛沫部の大きさは、使用する超音波振動子の出力や大きさによって変わり、更に、図６〜図９に示すように、座金状部材の有無によって変わり、座金状部材の開口径を適切に選ぶことによって大きな液隆起部と飛沫部が形成される。
【００３７】
本発明の超音波霧化装置においては、この多数の微小な貫通孔８が形成された多孔板６が液隆起部又は飛沫部１０と接触する位置や接触の状態によって液体を霧化する程度が大きく変化する。多孔板６の下面が液隆起部又は飛沫部１０に接触するまではほとんど液体の霧化は起こらないが、多孔板６の下面が液隆起部又は飛沫部１０にした時点から霧化が始まり、多孔板６の上面の細孔から霧状の液滴の放出が始まる。
【００３８】
多孔板６の下面が飛沫部の頂部に接触した位置からその位置を下方に下げてゆくとともに、多孔板６の細孔から放出される霧化された液滴の量が増加してゆき、貫通孔８と同じ方向に霧状の液滴が勢いよく噴出する。多孔板６が飛沫部から液隆起部の高さの約１／２程度のところまでの間にあるときは良好な霧化を示す。即ち、長時間連続して霧化を行って容器内の液面が低下することがあっても、多孔板６がこの範囲内に保持されていれば安定した霧化を達成することができる。しかし、この多孔板６の位置をさらに下方に下げて液面に近づけると液体の流れによる多孔板の微細孔の周囲での液の反射の勢いが強くなり、液体の微細孔の通過ができにくくなったり、あるいは、一旦霧化した水滴が相互に接触結合して多孔板６の上面に落下集積して大気との接触面が減少し、その結果、多孔板６による霧化作用が損なわれたりするなどして、次第に霧化された液滴の発生量が減少してゆく。
【００３９】
この液隆起部又は飛沫部１０の高さは容器内水深に依存しているので、これらのことから良好な霧化量を達成するためには、前記多孔板６は、液面の上部にあって液面から容器内水深に対して９０％までの範囲内の位置に配置されていることが必要であり、更には、液面から水深に対して３０％〜７０％までの範囲内の位置に配置されていることが好ましいということができる。
【００４０】
一般的に多数の微細な孔を有する多孔板において、孔径を小さくしていくと、表面張力のために、水が通過できない限界の孔径がある。０．１５ｍｍより小さい場合は、工夫が必要と言われている。本発明においては、孔径が０．００２ｍｍφ〜０．１００ｍｍφと非常に小さいにもかかわらず貫通孔を通過できるのは、超音波振動によって生ずるキャピラリ波やキャビテーションによる表面張力の剪断があるからである。すなわち、多孔板面上（孔出口付近）が空気だけである場合、多孔板の下面に接した液体が超音波振動によってその表面張力が剪断された状態であるため、容易に貫通孔を通過することができ、多孔板の上面で急激に解放され、その結果、霧化が促進されることになる。
【００４１】
この多孔板６と前記配設手段５との間には弾性保持部材７を介在させて前記多孔板６を前記配設手段５に弾性状態で保持させる。弾性保持部材７は、弾性のある部材を用いて多孔板を弾性的に保持してこれを前記配設手段５に取り付けることができるものであればよく、例えば低硬度のシリコンゴムで厚さ１ｍｍ程度のドーナツ状に形成したもの、或いは、厚さが０．１ｍｍ程度の薄い円形のステンレス板に多数の切り込み溝を設けたドーナツ状の板バネなどがある。これらの弾性保持部材７の内周縁に前記多孔板６を保持している多孔板保持部材９の外周縁を、また、弾性保持部材７の外周縁に前記配設手段５をそれぞれ取り付けることなどが考えられるが、これに限られるものではない。
【００４２】
前記配設手段５は、多孔板６を弾性保持部材７を介在させて上記した位置に配設することができるものであればよく、様々な配設手段が考えられる。図１にはその一例を示しており、容器１の底からの多孔板６の位置を正確に定める部材であるが、配設手段５の内側と外側が液体が自由に流通する構造のものであり、例えば、テーブルの脚状のものや、液流通用の切欠きを有する筒状の部材などである。また、図３に示すように、容器１の開口部に配設手段５が着脱可能に取り付けられ、その配設手段５によって多孔板６を所定の位置に配設するような構造のものも可能である。
【００４３】
超音波振動子３は公知の超音波振動子を用いることができるが、例えば、圧電セラミックスの上下面を電極で挟んで平板状に構成された圧電型超音波振動子を用いることができる。超音波振動子３には発振回路１２が接続されており、この発振回路１２から超音波振動子３に高周波電圧を印加することにより、容器１内の液体に対して超音波振動子３の振動面の垂直方向に超音波振動が発振される。
【００４４】
また、この超音波振動子３は、すでに述べたように容器１の底部に設けたくぼみ部２の底部に、超音波エネルギーがくぼみ部２で増強されるように振動面を液面に向けて、かつ、その上部に覆って配置されている座金状部材４又は容器底板１３の下面と平行になるように設置することが望ましい。超音波振動子３の振動面が座金状部材４又は容器底板１３の下面と平行に設置されると超音波エネルギーが効率よく増強される。  
【００４５】
容器1を満たす水などの液体には、効率の良い霧化を達成するためには好ましい容器内の水深がある。水深が大きすぎると、超音波振動子から放射された超音波振動が液面に向かっていく途中で減衰し、逆に水深が小さすぎると、液体の流れが限定され、十分な大きさの液隆起部が形成されなくなる。このような点から容器1内の水深には好ましい範囲があり、容器内の水深が超音波振動子３の直径（Ｄ）に対して３０〜９０％の範囲であることが好ましく、４０〜７０％の範囲にあることが更に好ましい。常に水深が一定に保たれるように、加湿器に採用されている補給用の水タンクを設置する機構を備えてもよい。
【００４６】
次に、本発明の超音波霧化装置の動作を説明する。
容器１の底部に形成されたくぼみ部２の底に設置された超音波振動子３に高周波電圧を印加すると、超音波振動子３から超音波振動が発振され、くぼみ部２の液体の中を上向きに放射され伝播していく。図１又は図３に示すような本発明の第１の態様の場合には、この超音波振動は上部を覆っている座金状部材４やくぼみ部２の壁面で繰り返し反射される。図２に示すような本発明の第２の態様の場合には、くぼみ部２の上部を覆っている容器１の底板１３やくぼみ部２の壁面で繰り返し反射される。更に、これに発振中の超音波振動子３から発生する超音波振動が加わって、くぼみ部２の中を伝播する超音波エネルギーが増強される。この増強された超音波エネルギーが座金状部材４の開口部４１又は容器底板１３の開口部１４から容器１本体の液体中に放出される。このとき、水面で反射した超音波振動は座金状部材４又は容器底板１３に遮られて、くぼみ部２内に侵入することがなく、よって、水面の反射波による超音波エネルギーの減衰は生じない。座金状部材４の開口部４１又は容器底板１３の開口部１４から放出された超音波振動によって開口部の上部に液面に向けて流れのある音響流が発生し、液面を盛り上げる流れとなって、液面に図５に示すような液の円錐状の隆起部１０とこの液隆起部の頂部からジェット流状に放出される液の飛沫部が形成される。この液隆起部及び／又は飛沫部１０の中心部は、液面に向かう流れであるが、外縁部は静止しているのではなく、常に容器の底部に戻る下降流があり、激しく振動している。
【００４７】
本発明の超音波霧化装置では、単に容器底部に設置した超音波振動子によって形成されるものに比べてより大きな超音波の音響流が発生し、これによってまず液隆起部が形成されるとともに強い勢いのある液体の流れが生じ、より大きな液隆起部及び／又は飛沫部が形成される。
【００４８】
ここでいう「音響流」とは、次のようなものである。流体中を伝播する超音波は物体に音響放射圧として力を作用させることができ、この音響放射圧の差が駆動力となって液体を超音波の伝搬方向に押し流すことにより生ずるものである。即ち、音響流の伝搬過程で波動エネルギーの一部が液体を動かすエネルギーに変換される結果として生じるものであって、流れの駆動力は超音波の伝搬経路に沿って分布し、遠方までビーム状となって存在している（非特許文献１、２参照）。本発明の霧化装置の場合には、くぼみ部３の内部で増強された超音波エネルギーが座金状部材４の開口部４１又は容器底板１３の開口部１４から放出されて、ここで液面に向う強い音響流が発生し、液面に大きな液隆起部及び／又は飛沫部を形成するものと考えられる。
【００４９】
液隆起部又は飛沫部１０が形成されている位置に、多数の微小な貫通孔８を備えた多孔板６が配設されている。この多孔板６は、例えば薄板状のシリコンゴム製などの弾性保持部材７によって弾性的に保持され比較的自由な動きが許容されるので、液隆起部又は飛沫部１０の動きにある程度対応して動くことが可能であり、液の激しい動きを大きく損なうことなく液体と接触することができる。このとき、容器内の液隆起部又は飛沫部１０には音響流による流れに加えて超音波振動によって液面や液内部にキャピラリ波やキャビテーションが生じて表面張力の剪断が発生しており、非常に微細化しやすい状態となっており、この状態の液体が貫通孔８を通って多孔板６の上面側から勢いのある霧状の液滴となって大気中に放出される。
【００５０】
このように多数の微小な貫通孔８が形成された多孔板６を弾性保持部材７を介在させて保持させることによって、超音波振動によって液面に形成される液隆起部及び／又は飛沫部１０に多孔板６を弾性的に接触させ、激しく動く液隆起部及び／又は飛沫部１０内の液体の勢いが失われないように多孔板６の下面と液体とを接触させることができる。このとき、液隆起部及び／又は飛沫部１０内の液体は超音波振動の集中によって表面張力が剪断されやすい状態にあるが、このような状態の液体に多孔板６が接触することによって液体の表面張力の剪断が促進され、表面張力が剪断された液体は微小な貫通孔８を通って大気中に勢いよく放出されることとなる。また、貫通孔８を通る液体の速度は霧化粒子になってもそのまま維持されるので、多孔板６の貫通孔８の方向に一定の速度をもった液滴として形成される。
【００５１】
以上のように、本発明の超音波霧化装置は、くぼみ部２の底部に超音波振動子３を設置して、このくぼみ部２と座金状部材４又は開口部を有する容器底板１３によって超音波エネルギーを大幅に増強させ、この増強された超音波エネルギーを座金状部材４の開口部４１又は容器底板１３の開口部１４から放出する。そのため容器１内の液体に従来のものに比較して強い超音波振動を与えるとともに、液面に向かう大きな音響流を発生させ、液面に大きな液隆起部及び／又は飛沫部１０を形成させることができたものである。また、座金状部材４又は容器底板１３をくぼみ部２の上部を覆うように設けることより、水面からの反射波が超音波振動子３に達して干渉し、超音波エネルギーが減衰することを防ぐことができる。更に、従来は自然に任せていた液体の表面張力の剪断という作用を、弾性保持部材で保持された多孔板６を用いて促進させるようにしたので、従来の超音波霧化装置と比較した場合、同じ条件下において霧化量を大幅に増大させることができたものである。従って、同じ霧化量を得ようとした場合には、従来の霧化装置よりも小さな超音波エネルギーで達成することができるので、省電力化が可能となった。  
【００５２】
また、同じ霧化量を得るために必要とされる超音波振動子の駆動電力を従来よりも低減できるので、超音波発振回路の発熱を抑えることもできる。このため、超音波振動子冷却用の冷却ファンを装置内に設ける必要がなくなり、さらには水切れ時などの無負荷状態における超音波発振回路の破損防止回路を設ける必要がなくなる。これにより、一層消費電力を低減させることができるとともに、回路や装置の小型化も実現できる。具体的には、例えば、従来の超音波霧化装置では１００Ｖの電源を用いて、１１Ｗ程度の電力を必要としたのに対して、本発明の超音波霧化装置では、５〜６Ｖの電源で２〜３Ｗの電力で充分な霧化を達成することができる。このため１００Ｖの電源コードを省くことが可能となり、駆動電源として１．５Ｖの乾電池４本を使用するだけで充分な霧化を達成することが可能となった。
【００５３】
また、超音波霧化装置の大きさも大幅に小型化することが可能となった。例えば、従来のものでは直径８０ｍｍ×高さ１４０ｍｍ、重さが３３５ｇ程度のものであったものが、本発明の超音波霧化装置では、直径６５ｍｍ程度、高さ１１０ｍｍ程度で、重さが１７０ｇ程度とすることが可能となった。そのため従来のものでは移動や持ち運びが困難であったが、本発明の超音波霧化装置では極めて容易に、かつ手軽に移動や持ち運びができる。
【００５４】
発明の超音波霧化装置は、これに水を入れて使用することにより、そのまま室内用の加湿器として使用することができる。この場合、電源コード等を必要としないので、室内の必要な場所に気軽に持ち運んで使用することができる。
【００５５】
また、発明の超音波霧化装置は、水とともにさまざまな香料や精油（エッセンシャルオイル）、芳香成分を加えたものを容器の中に入れて使用することにより、室内用の芳香揮散器（アロマディフューザー）として使用することができる。この場合は使用する者の好みに応じて様々な種類の香料成分を加えて気軽に香りを楽しむことができる。この場合も室内の任意の場所で使用することができ、例えば居間でくつろぐ際に使用したり、就寝時に枕元にもってきて使用することなどが考えられる。
【００５６】
芳香揮散器（アロマディフューザー）に使用する精油（エッセンシャルオイル）としては、例えば、ラベンダー、ひのき、スイートオレンジ、ベルガモット、レモングラス、レモン、ユーカリ、ローズマリー、イランイラン、ゼラニウム、ティートリー、グレープフルーツなどから採取した精油を使用することができる。
使う人の好みやその場の雰囲気に合わせてこれらの精油の中から適切なものを選択し、芳香揮散器の中の水に数滴添加すればよい。超音波の振動によって霧とともに香りが揮散するので、精油本来の香りを楽しむことができる。
【００５７】
なお、シリコンゴムは精油成分を吸収して劣化するため、芳香揮散器として水に精油を添加して使用する場合は、弾性保持部材としてシリコンゴムを使用することはできない。この場合は、ステンレス製又はプラスチック製の平板上の板バネを使用することが好ましい。
【実施例】
【００５８】
次に、実施例によって本発明を説明する。
（イ）実験装置：
以下の実験においては、図１に示す構造からなり次のような各部材の仕様からなる超音波霧化装置を用いた。
・容器：透明アクリル樹脂製の角形容器
容器の内側寸法：高さ１００ｍｍ×幅１００ｍｍ×奥行１００ｍｍ、
くぼみ部内径：１３ｍｍ
くぼみ部深さ：３．７〜５．１ｍｍ、
・超音波振動子：圧電型超音波振動子、共振周波数１．７ＭＨｚ、
直径１３ｍｍ×厚さ０．２ｍｍの円盤状、
・多孔板：ニッケル合金製、直径５．５ｍｍ×板厚０．０５ｍｍの円板状、
貫通孔は孔径０．００５ｍｍΦ、０．０６ｍｍピッチで千鳥状に
約７０００個形成した。
・弾性保持部材：ステンレス製板バネ、外径２６ｍｍ×内径７．４ｍｍ×
厚さ０．１０ｍｍのドーナツ板状、
・座金状部材：外径２１ｍｍ×内径１３ｍｍ×厚さ１．５ｍｍ、
開口部直径：５．１〜６．６ｍｍ、
材質：ステンレス（図３参照）
・霧化する液体：水道水
・駆動電源：直流６．０Ｖ、０．４２Ａ、２．４Ｗ、（安定化電源）
【００５９】
（ロ）霧化量の測定方法：
上記の実験装置に所定量の水道水を入れて、座金状部材及び配設手段に取り付けられ多孔板をそれぞれ所定の位置に設置し、この全体を電子天秤に乗せる。電源スイッチを入れて霧化を開始し、電子天秤によって５秒間隔で全体の重量の変化を測定する。この結果から、霧化開始からある時点での１分間の重量の減少量から１分間霧化量を算出し、これを換算して１時間当たりの霧化量（ｍｌ／ｈｒ）を求める。
【００６０】
実施例１：液隆起部と飛沫部の観察
座金状部材の効果を確認するために、くぼみ部内に超音波振動子を設置し、くぼみ部の上に座金状部材を配置した上記の超音波霧化装置の容器と超音波振動子を用いて、水深が１０ｍｍとなるように水道水を容器の底から１０ｍｍの位置まで注水し、電流０．４２Ａ、電圧６．０Ｖの直流駆動電源によって超音波振動子を作動させ、液隆起部と飛沫部の状態を観察した。表１に示す種々の開口径の座金状部材を用いた場合と座金状部材を使用しない場合について、容器内に発生する液隆起部と飛沫部の大きさを測定し、その外観を観察した。その結果を表１に示し、写真撮影した外観の状態を図６〜図９に示す。
【００６１】
【表１】
2015163390.tif 000003
【００６２】
表１及び図６〜図９に示すように、同じ水量（水深１０ｍｍ）で同一の条件の超音波振動であっても、座金状部材を使用しない場合には小さな液隆起部が形成するに過ぎないが、座金状部材を使用した場合には高い円錐状の盛り上がりが形成され、さらに座金状部材の開口径が６．０ｍｍのものの場合には液隆起部の頂部から水がジェット流状に上方に向けて飛び出す、いわゆる液の飛沫部が発生していることがわかる。
【００６３】
実施例２：霧化量の測定−座金状部材の効果
上記（イ）に述べた超音波霧化装置を用いて、種々の開口径の座金状部材を用いた場合の霧化量を測定した。なお、この場合も水深が１０ｍｍとなるように水道水を容器の底から１０ｍｍの位置まで注水した。くぼみ部の深さは４．６５ｍｍとし、多孔板は弾性保持部材である板バネを介して配設手段によって水深に対して１２６％（水面から２.６ｍｍ）の位置に配置した。
【００６４】
即ち、表２に示す種々の開口径（ｄ）の座金状部材を用いた場合と座金状部材を使用しない場合について、多孔板を配置する前に超音波振動子を駆動させてあらかじめ液隆起部の高さ（Ｈ１）と飛沫部の高さ（Ｈ２）を測定し、次いで多孔板を所定の位置に配置した状態で超音波振動子を駆動させて霧化を開始し、それぞれの場合について上記（ロ）の方法で霧化開始１分後の霧化量を測定した。この結果を表２に示す。
【００６５】
【表２】
2015163390.tif 000004
【００６６】
表２の結果からわかるように、座金状部材を使用しない場合には小さな液隆起部が形成され、霧化量も極めて少ない状態であったが、座金状部材を使用した場合には大きな液隆起部となるだけでなく、その頂部からジェット流状の水が飛び出す飛沫部も形成された。そしてこの液隆起部と飛沫部が多孔板に接触することによって、座金状部材を使用しない場合に比べて５０〜１００倍という極めて大きな霧化量を達成することができた。特に、座金状部材の開口部の直径（ｄ）が５．４〜６．６ｍｍ、超音波振動子の直径（Ｄ）に対する比率で０．４０〜０．６０という条件のところでより大きな霧化量を得ることができた。
【００６７】
これは、容器の底のくぼみ部に超音波振動子を設け、その上部に座金状部材を配置し、この座金状部材の開口部の大きさを適切に設定することによって、容器内の液体に伝播した超音波振動によるエネルギーが大幅に増強され、その結果液の表面により大きな液隆起部と飛沫部が形成され、これが多孔板に接触することによってこのような大きな霧化量を達成しえたものと考えられる。
【００６８】
実施例３：くぼみ部の深さの影響
座金状部材で蓋をされたくぼみ部の空間内で超音波エネルギーが増強されるが、その際にくぼみ部の深さ（ｈ）も影響すると考えられるので、実施例１と同様の方法によって、種々のくぼみ部の深さで超音波振動子を作動させた場合の液隆起部の高さ（Ｈ１）と飛沫部の高さ（Ｈ２）を測定した。なお、この場合も水深は１０ｍｍとし、座金状部材の開口部直径は６．２ｍｍのものを用いた。その結果を表３に示す。
【００６９】
【表３】
2015163390.tif 000005
【００７０】
表３に示すように、ここに示すようなくぼみ部の深さのもの、即ち、超音波の波長λとの比率（ｈ／λ）で４．０〜６．０という条件を満たすものは、いずれも良好な液隆起部と飛沫部を形成するため、大きな霧化量を達成することができると考えられる。
【００７１】
実施例４：多孔板の設置位置の検討
実施例２と同じ霧化装置と条件によって、ただし液隆起部又は飛沫部に対する多孔板の設置位置を種々変えて水道水の霧化を行い、その際の霧化量の変化を測定し、多孔板の液隆起部又は飛沫部に対する好ましい設置位置について検討した。この時の容器内の水深は１０ｍｍに保持し、座金状部材の開口部直径は６．４ｍｍのものを用いた。多孔板は弾性保持部材である板バネを介し配設手段に取り付けられ、配設手段の高さを調節することによって水深に対して表４に示すそれぞれの所定の位置に配置した。霧化量としては測定開始１分後の測定値を採用した。この結果を表４に示す。ここで「多孔板の位置」は、容器内の水深（容器の底から１０ｍｍ）を１００％とした場合の、液面からの相対的な距離（％）で表示したものであり、例えば４２％は水深に対して４２％で、液面上の４．２ｍｍの位置である。
【００７２】
【表４】
2015163390.tif 000006
【００７３】
実施例２で示したように、開口部直径が６．４ｍｍの座金状部材の水深が１０ｍｍの場合の液隆起部高さは３．６ｍｍ、飛沫部高さは４．１ｍｍであるので、多孔板位置が２０％の場合は液隆起部のやや上部に多孔板が配置されたことになり、４２％と５０％の場合は飛沫部のところに配置されたことになり、７５％の場合は飛沫部の最上部のぎりぎりの位置に配置されたことになる。表４の結果からわかるように、多孔板が液隆起部の頂部から飛沫部にかけて配置された場合に最も霧化量が多くなるが、飛沫部の上部へ向うにしたがって霧化量が減少する。従って、霧化量を多くするためには、多孔板を液隆起部の上部から飛沫部の下部の間に配置するとよい。
【００７４】
実施例５：容器内の水深と多孔板の設置位置の検討
実施例２と同じ霧化装置と条件によって、ただし容器内の水深を種々変えて水道水の霧化を行い、その際の霧化量の変化を測定し、このような霧化装置における容器内の水深の影響について検討した。座金状部材は開口部直径が６．４ｍｍのものを用い、多孔板は弾性保持部材である板バネを介し配設手段に取り付けられ、それぞれの水深に対して常に液面から２６％となる位置に調節して配置した。霧化量としては測定開始１分後の測定値を採用した。この結果を表５に示す。
【００７５】
【表５】
2015163390.tif 000007
【００７６】
更に、多孔板の位置を８ｍｍの水深に対して２６％の位置、即ち、水深が８ｍｍの場合の液面から２．０８ｍｍの位置に固定して、同一の霧化装置と条件とで一定時間連続して霧化を行い、液面が１ｍｍ低下したときの霧化量を調べた。その結果を表６に示す。
【００７７】
【表６】
2015163390.tif 000008
【００７８】
表５の結果から、多孔板の位置を水深に対して液面から２６％前後のところに保持しておれば、当初水深が１０ｍｍであったものが、容器内の水深が小さくなっても６ｍｍ程度までは同程度の霧化量を得ることができた。また、表６の結果から、多孔板の位置を一定の位置に固定して液面が低下した場合であっても、水深が８ｍｍから７ｍｍに低下し、多孔板の液面からの距離が１ｍｍ大きくなったが、この程度の液面の低下があっても良好な霧化が行われることが分かった。
【００７９】
これらの結果から、本発明の超音波霧化装置では、霧化が進行し容器内の液量が減少して水深が小さくなっても、ある程度の範囲までは同程度の霧化量を得ることが可能である。これは、多孔板が液隆起部上部から飛沫部下部の間に配置されておる限り、霧化が進み容器内の水深が減少しても飛沫部によって霧化することが可能なためである。
【００８０】
実施例６：多孔板の貫通孔の孔径の検討
実施例２と同じ霧化装置と条件によって、ただし多孔板の貫通孔の孔径を種々変えて水道水の霧化を行い、その際の霧化量の変化を測定し、多孔板の貫通孔の好ましい孔径について検討した。なお、この時の容器内の水深は１０ｍｍに保持し、座金状部材の開口部直径は５．８ｍｍのものを用い、貫通孔は０．０１６ｍｍピッチで千鳥状に形成し、孔径０．００５ｍｍΦ のもののみ０．００６ｍｍピッチで形成した。霧化量は測定開始１分後の測定値を採用した。この結果を表７に示す。
【００８１】
【表７】
2015163390.tif 000009
【００８２】
表７の結果から、多孔板の貫通孔の孔径が０．００５ｍｍΦ の場合に最も霧化量が多く、孔径が大きくなるにつれて霧化量も減少し、０．１２０ｍｍΦ の場合には霧化が発生しないことが分かった。すなわち、孔径が０．１２０ｍｍΦ の場合は霧化前の液体が貫通孔の通過してしまい、多孔板の上面に液体が常に接触する状態となるため、多孔板の上面と空気の接触が阻害され、その結果、霧化が発生しないものと考えられる。
【産業上の利用可能性】
【００８３】
本発明によれば、高い効率で簡単かつ容易に水などの液体を霧化することができると同時に、１００Ｖの電源を使用することなく、小型で移動や携帯が容易な超音波霧化装置とすることができ、家庭用や室内用の加湿器や芳香揮散器として有用である。
【符号の説明】
【００８４】
１．容器
２．くぼみ部
３．超音波振動子
４．座金状部材
４１．座金状部材の開口部
５．配設手段
６．多孔板
７．弾性保持部材
８．貫通孔
９．多孔板保持部材
１０．液隆起部又は飛沫部
１１．ゴムパッキン
１２．発振回路
１３．容器底板
１４．容器底板の開口部  
【図１】
2015163390.tif 000010
【図２】
2015163390.tif 000011
【図３】
2015163390.tif 000012
【図４】
2015163390.tif 000013
【図５】
2015163390.tif 000014
【図６】
2015163390.tif 000015
【図７】
2015163390.tif 000016
【図８】
2015163390.tif 000017
【図９】
2015163390.tif 000018